(57)【要約】【課題】  玄関などの室内側の灯りを点灯しなくても、居住者が防犯レンズの位置を視認できるカバー装置を提供すること。【解決手段】  カバー装置１Ａは、防犯レンズＡの室内側端部１０Ａの覗き窓１１Ａを覆うカバー１ａと、このカバー１ａの室内側に臨む面４ａ（室内側面、以下、単に面４ａという場合がある）に取付けられた鏡５ａと、前記カバー１ａを前記室内側端部１０Ａに取付けるための取付枠２ａからなるもので、例えば一枚ドア３Ａ用の防犯レンズＡに取付けられる。本願発明によれば、居住者は玄関等の灯りを点灯せずに、カバーの室内側面からの光によりカバーの所在、ひいては防犯レンズの位置を視認することができる。よって、訪問者が防犯レンズを介して室内側の居住者の動きや室内の様子を察知することができず、居住者にとっては安心であり、防犯効果がさらに高まる。【選択図】        図１
2006183307.tif 000002
【特許請求の範囲】
【請求項１】
ドアに形成された取付孔を介して固定される防犯レンズの室内側端部に取付けられるカバー装置であって、
該カバー装置は、前記室内側端部の覗き窓を覆うカバーと、このカバーの室内側面に取付けられた鏡からなることを特徴とする防犯レンズ用のカバー装置。
【請求項２】
ドアに形成された取付孔を介して固定される防犯レンズの室内側端部に取付けられるカバー装置であって、
該カバー装置は、前記室内側端部の覗き窓を覆うカバーを備えると共に、このカバーの室内側面は蛍光顔料により発光することを特徴とする防犯レンズ用のカバー装置。
【請求項３】
ドアに形成された取付孔を介して固定される防犯レンズの室内側端部に取付けられるカバー装置であって、
該カバー装置は、前記室内側端部の覗き窓を覆うカバーを備えると共に、このカバーの室内側面は蓄光顔料により発光することを特徴とする防犯レンズ用のカバー装置。
【発明の詳細な説明】
【技術分野】
【０００１】
本発明は、室内側の覗き窓から室外の様子を広範囲にわたって観察することができる防犯レンズに取付けられるカバー装置に関する。
【背景技術】
【０００２】
ドアを施錠したまま、室内から室外の様子を観察できる防犯レンズは、防犯意識の高まりと共に重要性を増しており、防犯レンズのトップメーカである出願人は、社会の要請に応えて防犯レンズの改良を種々行っている。
例えば、不審者が防犯レンズを通じて室外から室内の様子を伺うような行為に対処できるように、防犯レンズ用カバーを開発し、特許出願も行っている（特許文献１参照）。
【特許文献１】特開２００４−１００４５５
【発明の開示】
【発明が解決しようとする課題】
【０００３】
かかる防犯レンズについて、出願人は次のような課題を認識するに至った。
この防犯レンズを用いて夜間の訪問者を確認する場合、居住者は防犯レンズの位置を視認するため、室内の灯りを点けることが多い。
昼間でも玄関が暗い場合には、居住者は防犯レンズの位置を確認するため、玄関の明かりを付けることがある。
そして防犯レンズの位置を確認してから、前記防犯レンズ用カバーを回転させて、室内側から室外側の訪問者の様子を観察することになる。
居住者が灯りを点けることは、訪問者が防犯レンズを介して室内側の居住者の動きや室内の様子を察知できることを意味する。
逆に居住者は防犯レンズを介して、居住者自身の動きが訪問者に察知されることとなり、居住者にとっては不安である。
【０００４】
そこで、本願発明は、玄関などの室内側の灯りを点灯しなくても、居住者が防犯レンズの位置を視認できるカバー装置を提供することを目的とする。
【課題を解決するための手段】
【０００５】
この目的を達成するため、ドアに形成された取付孔を介して固定される防犯レンズの室内側端部に取付けられるカバー装置であって、該カバー装置は、前記室内側端部の覗き窓を覆うカバーと、このカバーの室内側面に取付けられた鏡からなることを特徴とする防犯レンズ用のカバー装置とした。
また、前記鏡に代えて、該カバー装置のカバーの室内側面は蛍光顔料により発光することを特徴とする防犯レンズ用のカバー装置とした。
また、前記鏡又は蛍光顔料により発光する構成に代えて、該カバー装置のカバーの室内側面は蓄光顔料により発光することを特徴とする防犯レンズ用のカバー装置とした。
これらのカバー装置において、カバーの室内側面の蛍光顔料又は蓄光顔料の付着範囲は、カバーの室内側面の全面でもよいし、その一部でもよいし、さらに後述のカバーの舌部でもよい。
【発明の効果】
【０００６】
本願発明によれば、居住者は玄関等の灯りを点灯せずに、カバーの室内側面からの光によりカバーの所在、ひいては防犯レンズの位置を視認することができる。
よって、訪問者が防犯レンズを介して室内側の居住者の動きや室内の様子を察知することができず、居住者にとっては安心であり、防犯効果がさらに高まる。
【発明を実施するための最良の形態】
【０００７】
本発明に係るカバー装置の実施形態を図面に基づいて詳細に説明する。
図１は、第１実施形態に係るカバー装置の分解斜視図及びこのカバー装置を取付ける防犯レンズの分解斜視図、図２はカバー装置を防犯レンズに取付けた状態の取付側面図である。
なお、これらの各図及び以下に説明する各図において、同一の構成は同一の符号又は字句を付して、詳細な説明を省略する。
【０００８】
第１実施形態に係るカバー装置１Ａは、防犯レンズＡの室内側端部１０Ａの覗き窓１１Ａを覆うカバー１ａと、このカバー１ａの室内側に臨む面４ａ（室内側面、以下、単に面４ａという場合がある）に取付けられた鏡５ａと、前記カバー１ａを前記室内側端部１０Ａに取付けるための取付枠２ａからなるもので、例えば一枚ドア３Ａ用の防犯レンズＡに取付けられる。
前記取付枠２ａは、前記室内側端部１０Ａの外周に圧着可能な圧着片２０ａと、この圧着片２０ａの圧着力を調整する調整部２１ａからなる。
そして前記カバー１ａは、前記調整部２１ａにネジ止めされる止着具３ａにより回転可能に支持されており、その下部には回転操作用の舌部１０ａが形成されている。
【０００９】
前記圧着片２０ａと調整部２１ａは、圧着片２０ａがウォームホイールに、調整部２１ａがウォームギアに相当するもので、調整部２１ａを構成するギア２１０ａを回転させることにより、前記室内側端部１０Ａに対する圧着力を調整できるようになっている。
【００１０】
前記カバー１ａは、前記止着具３ａにより左右方向に振分けられるようになっているが、前記止着具３ａに代えてヒンジ手段により、ドア３Ａに対して手前方向に開閉できるようにしても良い。
また、前記舌部１０ａの形状は、居住者が把持し易いように下方向に長めに形成してもよい。
【００１１】
前記鏡５ａは、室内の明かりが反射されて、その位置を居住者に視認させるもので、典型的にはガラス鏡が用いられる。
この鏡５ａは前記カバー１ａの径と略同様な径の円形によりなり、接着剤等によりカバー１ａの面４ａに固着されている。
鏡５ａの形状はここでは円盤状であるが、四角形、三角形、三日月、その他楕円形などもよく、またその径のサイズも上記サイズに限定されるものではない。
【００１２】
前記防犯レンズＡに前記カバー装置１Ａを取付けるには、前記室内側端部１０Ａの径より若干大きめに調整した取付枠２ａを室内側端部１０Ａに跨がせて、調整部２１ａをドライバー等で締付ければよい。
このように取付けられたカバー装置１Ａは、通常、前記カバー１ａの自重により、前記防犯レンズＡの覗き窓１１Ａを覆っているので、室外側から室内の様子を伺うことはできない。
居住者が、防犯レンズＡから室外を覗き見る場合には、カバー１ａの舌部１０ａを左右何れかの方向に振り、覗き見た後は、前記舌部１０ａから手を放せば、カバー１ａがその自重により回転し、再びカバー１ａが前記覗き窓１１Ａを覆う。
【００１３】
以上のようなカバー装置１Ａによれば、防犯レンズＡの外筒２のサイズの長短に対応でき、また外筒２の直径の大小にも対応でき、しかも低コストで製造することができる。
また、前記鏡５ａに集まる僅かな光でも反射されるので、居住者が玄関などの室内側の明かりを点灯しなくても、カバー１ａの位置を視認し易くなり、室内側端部１０Ａの覗き窓１１Ａの位置を把握しやすい防犯レンズを提供できる。
よって、防犯レンズを介して居住者自身の動きや室内の様子が察知されず、居住者は安心である。さらに、前記鏡５ａを化粧鏡とすることもできる。
【００１４】
なお、前記防犯レンズＡは、図１乃至図３に示したように、入射窓となる室外側フランジ部１０、外周に設けられた雄ネジ部１１及び内部にレンズ系１２を収容した内筒１と、覗き窓１１Ａとなる室内側フランジ部２０及び内部周面に雌ネジ部２１を備えた外筒２からなり、取付孔３０を介してドア３Ａに固定されている。
また、前記内筒１の室内側にはストッパ片１４（図３参照）が設けられ、このストッパ１４とスリーブ１５間に凸レンズ１２２を取付けている。
【００１５】
上記カバー装置１Ａは、図４及び図５に示したように、所謂フラッシュドアと呼ばれている２枚板３、４の厚みのあるダブルドア用の防犯レンズＡに取付けることもできる。
ここでは、前記カバー１ａの面４ａの鏡５ａに代えて、蛍光顔料（蛍光物質）が含有された蛍光塗料５ｂを面４ａに塗布してもよい。
蛍光塗料は、反射される光と同位相の光がプラスされて光が増幅されるように作用することが知られており、輝度が高まる。
よって、前記鏡５ａと略同様に機能し、前記カバー１ａの位置を視認し易くなり、室内側端部１０Ａの覗き窓１１Ａの位置を把握しやすい防犯レンズを提供できる。
蛍光顔料（蛍光物質）が用いられるものであれば、蛍光塗料に限定されることはなく、蛍光テープを前記カバー１ａの面４ａに貼ってもよい。
なお、蛍光塗料５ｂの塗布範囲や蛍光テープの貼布範囲は任意であって、例えば前記カバー１ａの面４ａの中心や、面４ａの外縁でもよい。
【００１６】
また、前記カバー１ａの面４ａの鏡５ａ又は蛍光塗料５ｂに代えて蓄光顔料が含まれている蓄光塗料を塗布してもよい。
蓄光塗料は、太陽光又は人口照明の光のエネルギーが蓄えられて、暗闇でも一定時間、発光するものである。
よって、前記鏡５ａ又は蛍光塗料５ｂと略同様に機能することが期待でき、前記カバー１ａの位置を視認し易くなり、室内側端部１０Ａの覗き窓１１Ａの位置を把握しやすい防犯レンズを提供できる。
蓄光顔料（蓄光物質）が用いられるものであれば、蓄光塗料に限定されることはなく、蓄光テープを前記カバー１ａの面４ａに貼ってもよい。
その他の構成及び効果は、上記各実施形態と同様である。
【００１７】
上記実施形態では、前記カバー装置１Ａの取付枠２ａは、前記室内側端部１０Ａの外周を圧着するようにしていたが、室内側端部１０Ａの内周１００ａを圧着するようにしてもよい。
【００１８】
次に、第２実施形態に係るカバー装置１Ｂの構成例を説明する。
このカバー装置１Ｂは、図６に示したようにカバー１ｂを前記室内側端部１０Ａに取付けるための取付枠２ｂは、前記室内側端部１０Ａの外周を圧着可能な圧着片として、例えば板バネ材から構成されており、その弾性材に支持部としての折曲部２０ｂを形成し、その折曲部２０ｂにカバー１ｂを回転可能に保持するピン３ｂが固定されている。
前記弾性材は外側方向Ｘにたわみ、内側方向−Ｘに復元力が作用するもので、前記防犯レンズ１Ａの室内側端部１０Ａの外周を圧着できるようになっている。
前記折曲部２０ｂは、弾性材を略Ｕ字状に折曲げ加工し、そのＵ字状部２００ｂにピン３ｂをかしめたり、接着、溶着等して取付けて、そのピン３ｂにカバー１ｂを回転可能に取付たものである。
前記カバー装置１Ｂのカバー１ｂの面４ａに鏡５ａを固着すること、蛍光塗料又は蓄光塗料を塗布することでもよいが、これに代えて前記面４ａを鏡面仕上げにしても、各実施形態と同様の効果を奏する。
その他の構成は、第１実施形態と同一であって、同一の作用効果を奏する。
【００１９】
前記折曲部２０ｂの取付位置として、その折曲部２０ｂを前記室内側端部１０Ａの切欠凹部１００Ａに埋込むようにしても良い。この場合、折曲部２０ｂにも前記切欠凹部１００Ａに対応する切欠２１ｂを形成する。
より具体的には、図６のように防犯レンズＡの内筒１を室外側から取付孔３０に挿入し、その雄ネジ部１１に対し、室内側から外筒２を螺着させる場合に、前記室内側端部１０Ａの切欠凹部１００Ａを略垂直方向に位置させて、防犯レンズＡを固定する。
そして、前記折曲部２０ｂの切欠２１ｂを前記室内側端部１０Ａの切欠凹部１００Ａに埋込むようにして取り付ける。
前記切欠凹部１００Ａは、本来、室内側から前記外筒２を前記内筒１に螺着させる場合に、ドライバーなどの冶具に使用される部位であるが、前記カバー装置２Ａの取付けに活用することで、前記カバー装置２Ａの取付けが容易になる。
【００２０】
次に、第３実施形態に係るカバー装置１Ｃの構成例を説明する。
このカバー装置１Ｃは、図６に示したカバー装置１Ｂと同様に、その取付枠２ｃの圧着片を弾性材から構成すると共に、その弾性材の折曲部２０ｃを上向きに形成している。
前記弾性材は外側方向Ｘに復元力が作用し、内側方向−Ｘにたわむもので、前記室内側端部１０Ａの内周１００ａを圧着できるようになっている。
前記折曲部２０ｃは前記折曲部２０ｂと同様に、弾性材を略Ｕ字状に折曲げ加工し、そのＵ字状部２００ｃにピンをかしめる等して固定し、そのピンにカバー１ｃを回転可能に取付たものである。
ここでも前記カバー装置１Ｃのカバー１ｂの面４ａに鏡５ａを固着すること、蛍光塗料又は蓄光塗料を塗布することでもよいが、これに代えて前記面４ａを鏡面仕上げにしても、各実施形態と同様の効果を奏する。
この第３実施形態に係るカバー装置１Ｃにおいても、第１、第２実施形態のカバー装置と同一の作用効果を奏する。
図６と同様に、前記折曲部２０ｃの取付位置として、その切欠２１ｃを前記室内側端部１０Ａの切欠凹部１００Ａに埋込むように取付けても良い。
【００２１】
次に、第４実施形態に係るカバー装置１Ｄの構成例を説明する。
このカバー装置１Ｄの特徴は、図８に示したように取付枠２ｄの圧着片２０ｄとして、弾性材としてのゴム、プラスチック等の合成樹脂をリング状に成形し、カバー１ｄを回転可能に支持するネジ３ｄ自体を支持部としたものである。
このカバー装置１Ｄを前記室内側端部１０Ａに取付けるには、ネジ３ｄで圧着片２０ｄにカバー１ｄを螺着し、前記室内側端部１０Ａの径にあわせて、圧着片２０ｄを押し広げるように取付ければよい。圧着片２ｄを前記室内側端部１０Ａに取付ける際に接着剤を用いても良い。
また、カバー１ｄの舌部１０ｄにストラップ等の飾り紐を取付ける孔１１ｄを設けることで、飾り紐を把持することによるカバー１ｄの回転操作性の向上等を図ることができる。
その他の構成は、第１〜第３実施形態のカバー装置と同様であり、同一の作用効果を奏する。
【００２２】
次に、第５実施形態に係るカバー装置１Ｅの構成例を説明する。
このカバー装置１Ｅは、図９に示したようにその中心部を開口させた円盤状の取付枠２ｅと、該取付枠２ｅの開口２１ｅの縁から立ち上げられて円筒状に形成され、且つ、前記室内側端部１０Ａの内周１００ａに取付可能な圧着片２０ｅと、カバー１ｅを回転可能に支持する支持部としてのリベット、ネジ３ｅを備えている。
前記取付枠２ｅの直径は、前記室内側端部１０Ａの覗き窓１１Ａを覆うカバー１ｅの直径よりも、若干大きめに形成されている。
前記円筒状の圧着片２０ｅの外径は、前記室内側端部１０Ａの内周１００ａに密着して、その内周１００ａを圧着できるサイズに形成されている。
これらの取付枠２ｅと圧着片２０ｅは、プラスチック等の合成樹脂により一体成形されているが、その材料は合成樹脂に限定されるものではない。
【００２３】
このカバー装置１Ｅを前記室内側端部１０Ａに取付けるには、前記円筒状の圧着片２０ｅを前記室内側端部１０Ａの内周１００ａに向けて押込むか、螺着してもよい。
その他の構成は、第１〜第４実施形態のカバー装置と同様であり、同一の作用効果を奏する。
【００２４】
図１０には、図９に示した取付枠２ｅと圧着片２０ｅの変形例が示されており、その変形個所は、取付枠２ｅの同心円状に、室内側に凹んだ溝２２ｅを形成したところである。
この同心円状の溝２２ｅが前記室内側端部１０Ａに当接されることで、前記圧着片２０ｅに外側方向に力が作用し、前記圧着片２０ｅがより強く内周１００ａを圧着するようになる。よって、カバー装置１Ｅが前記室内側端部１０Ａから抜け難くなっている。その他の構成は、第１〜第４実施形態のカバー装置と同様であり、同一の作用効果を奏する。
【００２５】
上記カバー装置１Ａ〜１Ｅでは、ウォームホイールの圧着片２０ａ、ウォームギアの調整部２１ａ、取付枠として弾性材等を採用したが、前記室内側端部１０Ａに対する圧着力を調整できるものであればどのようなものでもよい。
たとえば、合成樹脂のバンド状のものを取付枠としてもよい。
また、防犯レンズの内筒や外筒の材質は、どのようなものでもよく、アルミニウム等の金属の他、プラスチック等の合成樹脂でもよい。
さらに上記カバー装置１Ｅにおいて、取付枠２ｅと圧着片２０ｅを黒色に着色することで、光の反射を抑えることができ、覗き見易い防犯レンズＡにすることができる。
【００２６】
その他、図１１のように、外筒２の室内側フランジ部２０を覆うカバー１ａと、このカバー１ａを防犯レンズＡに取付けるための取付リング６からなり、これらカバー１ａ及び取付リング６の各連結片６ａ，６ｂを介して、カバー１ａは取付リング６に対し回転可能に取付けられている場合に、カバー１ａの面４ａに、前記鏡５ａを固着したり、蛍光塗料又は蓄光塗料を塗布し、または面４ａを鏡面仕上げにしてもよく、このような構成により上記各実施形態と同様の効果を奏する。
【００２７】
また図１２、１３のように、カバー１ａと取付リング６間に、サポート部６ｃを設けたカバー装置においても、カバー１ａの面４ａに、前記鏡５ａを固着し、または蛍光塗料、蓄光塗料を塗布し、または面４ａを鏡面仕上げにしてもよく、上記各実施形態と同様の効果を奏する。
【００２８】
さらに振子式のカバーとして、図１４のように、カバー１ａ自体を前記室内側フランジ部２０に回転可能に取付けてた場合においても、カバー１ａの面４ａに、前記鏡５ａを固着したり、蛍光塗料又は蓄光塗料を塗布したりしてもよい。または前記面４ａを鏡面仕上げにしてもよく、上記各実施形態と同様の効果を奏する。
【００２９】
上記振り子式以外のカバーとして、図１５のようなヒンジ式のもの、図１６（イ），（ロ）のような前記室内側端部１０Ａに嵌める栓式のものにおいても、面４ａに、前記鏡５ａを固着し、または蛍光塗料又は蓄光塗料を塗布し、または面４ａを鏡面仕上げにしてもよく、この場合にも上記各実施形態と同様の効果を奏する。
【図面の簡単な説明】
【００３０】
【図１】第１実施形態に係るカバー装置の分解斜視図及びこのカバー装置を取付ける防犯レンズの分解斜視図、
【図２】カバー装置を防犯レンズに取付けた状態の取付側面図、
【図３】防犯レンズの断面図、
【図４】第１実施形態に係るカバー装置の分解斜視図及びこのカバー装置を取付ける別例の防犯レンズの斜視図、
【図５】同取付側面図、
【図６】第２実施形態に係るカバー装置の分解斜視図及び取付説明図、
【図７】第３実施形態に係るカバー装置の分解斜視図及び取付説明図、
【図８】第４実施形態に係るカバー装置の分解斜視図及び取付説明図、
【図９】第５実施形態に係るカバー装置の分解斜視図及び取付説明図、
【図１０】（Ａ）及び（Ｂ）同カバー装置の変形例図及び同図のＡ‐Ａ断面図、
【図１１】別例のカバー装置の分解斜視図、
【図１２】別例のカバー装置の分解斜視図、
【図１３】別例のカバー装置の取付説明図、
【図１４】別例のカバー装置の斜視図、
【図１５】別例のカバー装置の斜視図、
【図１６】（イ）（ロ）別例のカバー装置の斜視図である。
【符号の説明】
【００３１】
１  内筒
１Ａ  １Ｂ  １Ｃ  １Ｄ  １Ｅ  カバー装置
１ａ  １ｂ  １ｃ  １ｄ  １ｅ  カバー
２ａ  ２ｂ  ２ｃ  ２ｄ  ２ｅ  取付枠
２０ａ  ２０ｄ  ２０ｅ  圧着片
２０ｂ  ２０ｃ  折曲部
２１ｅ  開口
２２ｅ  溝
２００ｂ  ２００ｃ  Ｕ字状部
２ａ  ３ｂ  ３ｃ  ３ｄ  ３ｅ  ピン
１０ａ  １０ｄ  １０ｅ  舌部
１０  室外側フランジ部
１０Ａ  室内側端部
１１  雄ネジ部
１２  レンズ系
１４  ストッパ片
１５  スリーブ
１００ａ  内周
２  外筒
２０  室内側フランジ部
２１  雌ネジ部
３  室外側ドア板                      ３０  取付孔
４  室内側ドア板                      ４０  取付孔
３Ａ  ドア板
４ａ  室内側面
５ａ  鏡                              ５ｂ  蛍光塗料（蛍光塗料による塗膜）
【図１】
2006183307.tif 000003
【図２】
2006183307.tif 000004
【図３】
2006183307.tif 000005
【図４】
2006183307.tif 000006
【図５】
2006183307.tif 000007
【図６】
2006183307.tif 000008
【図７】
2006183307.tif 000009
【図８】
2006183307.tif 000010
【図９】
2006183307.tif 000011
【図１０】
2006183307.tif 000012
【図１１】
2006183307.tif 000013
【図１２】
2006183307.tif 000014
【図１３】
2006183307.tif 000015
【図１４】
2006183307.tif 000016
【図１５】
2006183307.tif 000017
【図１６】
2006183307.tif 000018